(57)【特許請求の範囲】
【請求項１】
ｎ個の表示器と、
そのｎ個の表示器のそれぞれに並列的に表示されるべき、各解像度のｎ個の画像のデータを、水平方向及び垂直方向の少なくとも一方向に分断して、又は分断せずに、水平方向及び垂直方向の少なくとも一方向に結合して送信する画像処理プロセッサと、
その画像処理プロセッサから送信された画像データを受信し、前記ｎ個の表示器に対応する各画像に分割して各表示器に送る画像分割処理部と、
を備える画像表示処理装置であって、
前記画像処理プロセッサは、前記画像データと共に、前記分断・非分断の情報と、前記水平方向及び垂直方向に関する結合の情報をパラメータとして送信し、
前記画像分割処理部は、タイル状に送られてきた画像を、前記パラメータに基づいて前記分割の処理を行い、
前記パラメータは、各画像を分断して、又は分断せずに得られた画像タイルの位置を示す水平及び垂直方向オフセットと、前記画像タイルのサイズを示すタイル幅及びタイル高さと、分断しない場合の水平方向、垂直方向の全幅、又は、分断した場合の各画像の水平方向、垂直方向の巡廻的繰り返し周期に相当するタイル水平ストライド及びタイル垂直ストライドであることを特徴とする画像表示処理装置。
【請求項２】
各画像は共通の解像度を有していることを特徴とする請求項１に記載の画像表示処理装置。
【請求項３】
各画像は、動画像であることを特徴とする請求項１又は２に記載の画像表示処理装置。
【請求項４】
ｎ個の表示器と、
そのｎ個の表示器のそれぞれに並列的に表示されるべき、各解像度のｎ個の画像のデータを、水平方向に分断し、水平方向及び垂直方向に結合して送信する画像処理プロセッサと、
その画像処理プロセッサから送信された画像データを受信し、前記ｎ個の表示器に対応する各画像に分割して各表示器に送る画像分割処理部と、
を備える画像表示処理装置であって、
前記画像処理プロセッサは、前記画像データと共に、前記分断・非分断の情報と、前記水平方向及び垂直方向に関する結合の情報をパラメータとして送信し、前記画像分割処理部は、タイル状に送られてきた画像を、前記パラメータに基づいて前記分割の処理を行うことを特徴とする画像表示処理装置。
【請求項５】
前記画像処理プロセッサは、１画素単位で分断することを特徴とする請求項４に記載の画像表示処理装置。
【請求項６】
各画像は共通の解像度を有していることを特徴とする請求項４又は５に記載の画像表示処理装置。
【請求項７】
各画像は、動画像であることを特徴とする請求項４乃至６のいずれかに記載の画像表示処理装置。
【発明の詳細な説明】
【技術分野】
【０００１】
本発明は、画像表示処理装置に関し、特に、複数の画像を対応する複数の表示器に並列表示するような画像表示処理装置に関する。
【背景技術】
【０００２】
昨今のゲーム機やパチンコ機等の遊技機においては、複数の表示器（典型的には、液晶表示器）が備わり、それらの表示器に、とりわけ相互に連係する動画像を同時並列的に表示することがよく行われるようになってきている。かかる構成や機能を有する画像表示制御においては、無論、複数の表示器のそれぞれに対応した表示処理制御部（典型的には画像処理専用プロセッサ）及び表示指令制御部（典型的にはＣＰＵ）等を備え、最上段の表示指令制御部間で相互に同期・連係等をとりながら全並列的に処理することで並列画像表示を実現することも可能である。
【０００３】
しかしながら、上述のような構成では、冗長であり、表示器の数に応じて回路規模が無駄に増してしまうという欠点がある。従って、最近では、かかる欠点を解消すべく、単一の表示指令制御部及び表示処理制御部等を介して、各表示器に表示すべき各画像を連結的に処理し、表示器の直前でそれらの複数の画像を分割してそれぞれの表示器に送るという構成が一般的となってきている（例えば、特許文献１参照）。この特許文献１においては、その図３及び図４（ｂ）に示されているように、画像生成装置が、Ａ画面用画像データ及びＢ画面用画像データをフレームメモリ上で水平方向に並べて配置して処理し、それらをライン単位で画像分割装置に送り、その画像分割装置が分割処理を行って、Ａ画面用ディスプレイ及びＢ画面用ディスプレイのそれぞれに表示するようにしている。
【先行技術文献】
【特許文献】
【０００４】
【特許文献１】特開２０００−００３１６４号公報
【発明の概要】
【発明が解決しようとする課題】
【０００５】
特許文献１においては、前述のように、画像生成装置が、Ａ画面用画像データ及びＢ画面用画像データをフレームメモリ上で水平方向に並べて配置して処理し、それらをライン単位で画像分割装置に送り、その画像分割装置がその送り方に応じて分割処理を行っている。しかしながら、一般には、画像生成装置における複数の画像の結合の仕方や、送信方式には各種がある。例えば、特許文献１が水平方向に連結し、水平方向のラインに分割しているのに対して、各画像を垂直方向のラインに分割して、ライン単位で各画像を水平方向に巡廻的に連結した構成で送信するような装置もある。
【０００６】
上記のような画像生成装置（画像処プロセッサ）側における画像データ送信形式の多様性という観点から、分割処理装置側においては、その多様性に拘わらず統一的に処理が行えれば便利である。特に、ハードウェアで構成することを考えるとその効果は大きい。
【０００７】
一方、表示器にあっては、遊技機等の演出等の多様性に応じて、水平方向と垂直方向の大きさの比率が各種のものがある。
【０００８】
本発明は上述のような事情から為されたものであり、本発明の目的は、複数の画像を対応する複数の表示器に並列表示する際に、画像処理プロセッサの多様な画像データ結合方式とその送信方式に拘わらず、統一的にそれらの画像データを受信して分割処理を行える画像分割処理部を備えた画像表示処理装置を提供することにある。
【課題を解決するための手段】
【０００９】
上記目的を達成するため、本発明の画像表示処理装置は、ｎ個の表示器と、そのｎ個の表示器のそれぞれに並列的に表示されるべき、各解像度のｎ個の画像のデータを、水平方向及び垂直方向の少なくとも一方向に分断して、又は分断せずに、水平方向及び垂直方向の少なくとも一方向に結合して送信する画像処理プロセッサと、その画像処理プロセッサから送信された画像データを受信し、前記ｎ個の表示器に対応する各画像に分割して各表示器に送る画像分割処理部と、を備える画像表示処理装置であって、前記画像処理プロセッサは、前記画像データと共に、前記分断・非分断の情報と、前記水平方向及び垂直方向に関する結合の情報をパラメータとして送信し、前記画像分割処理部は、タイル状に送られてきた画像を、前記パラメータに基づいて前記分割の処理を行い、前記パラメータは、各画像を分断して、又は分断せずに得られた画像タイルの位置を示す水平及び垂直方向オフセットと、前記画像タイルのサイズを示すタイル幅及びタイル高さと、分断しない場合の水平方向、垂直方向の全幅、又は、分断した場合の各画像の水平方向、垂直方向の巡廻的繰り返し周期に相当するタイル水平ストライド及びタイル垂直ストライドであることを要旨とする。
【００１０】
なお、各画像は共通の解像度を有していることが典型である。また、各画像は、動画像であることが典型的である。
【００１１】
また、上記目的を達成するため、本発明の画像表示処理装置は、ｎ個の表示器と、そのｎ個の表示器のそれぞれに並列的に表示されるべき、各解像度のｎ個の画像のデータを、水平方向に分断し、水平方向及び垂直方向に結合して送信する画像処理プロセッサと、その画像処理プロセッサから送信された画像データを受信し、前記ｎ個の表示器に対応する各画像に分割して各表示器に送る画像分割処理部と、を備える画像表示処理装置であって、前記画像処理プロセッサは、前記画像データと共に、前記分断・非分断の情報と、前記水平方向及び垂直方向に関する結合の情報をパラメータとして送信し、前記画像分割処理部は、タイル状に送られてきた画像を、前記パラメータに基づいて前記分割の処理を行うことを要旨とする。
【００１２】
なお、このとき、前記画像処理プロセッサは、１画素単位で分断することが、好適である。
【００１３】
なお、各画像は共通の解像度を有していることが典型的である。
【００１４】
また、各画像は、動画像であることが典型的である。
【発明の効果】
【００１５】
本発明によれば、画像処理プロセッサが、ｎ個の表示器のそれぞれに並列的に表示されるべき、各解像度のｎ個の画像のデータを、水平方向及び水平方向の少なくとも一方向に分断して、又は分断せずに、水平方向及び垂直方向の少なくとも一方向に結合することにより、各種の結合方式で送信する場合でも、画像分割処理部により、統一的にそれらの画像データを受信して分割処理を行える。
【図面の簡単な説明】
【００１６】
【図１】本発明の画像表示処理装置における一実施形態を含む画像処理装置全体の構成を示す図である。
【図２】各表示器にそれぞれ画像［１］〜画像［４］を表示する場合を示す図である。
【図３】画像処理プロセッサ１における複数の画像のデータの各種の結合モードを説明するための図である。
【図４】各種の結合モードを統一的に処理するための概念を説明するための図である。
【図５】結合モード［１］についてのパラメータを説明するための図である。
【図６】結合モード［２］についてのパラメータを説明するための図である。
【図７】結合モード［３］についてのパラメータを説明するための図である。
【図８】結合モード［４］についてのパラメータを説明するための図である。
【図９】一般化した内容を説明するための図である。
【発明を実施するための形態】
【００１７】
以下、図面を参照して、本発明の実施の形態について詳細に説明する。  
図１は、本発明の画像表示処理装置における一実施形態の構成を示す図である。同図に示した装置は、画像処理プロセッサ１において連結構成した画像データＰＤを画像分割処理部２で分割して、それぞれを４つの同一の液晶表示器３−１〜３−４に表示するという構成を有している。ここで、画像処理プロセッサ１は、送信バッファ１１１を内蔵した送信処理部１１を少なくとも有している。また、画像分割処理部２は、画像処理プロセッサ１から送られてきた画像データＰＤを制御信号ＣＳのもとで受信する受信処理部２１と、受信処理部２１で受信された画像データＰＤを、選別して液晶表示器３−１〜３−４のそれぞれに対応した画像データに振り分ける処理をする画像データ振分け部２２と、その画像データ振分け部２２により振り分けられた画像データを格納するバッファ２３１−１〜２３１−４を有し、そのバッファ２３１−１〜２３１−４に格納された各画像データを処理して、各液晶表示器３−１〜３−４に表示可能な信号として生成する液晶信号生成部２３−１〜２３−４とを少なくとも有している。なお、図示しないが、画像データを圧縮して格納する画像ＲＯＭと上位ＣＰＵとが画像処理プロセッサ１には接続されており、画像処理プロセッサ１は、上位ＣＰＵからの指令に応じて、画像ＲＯＭから画像データを読み出してくるという構成が一般的である。従って、画像処理プロセッサ１は、データ伸長処理機能を有していることが一般的である。
【００１８】
ここで、画像処理プロセッサ１から画像分割処理部２に送られる画像データＰＤの形式としては、例えばＲＧＢやＬＶＤＳ（Low Voltage Differential Signaling）がある。また、画像処理プロセッサ１と画像分割処理部２との間でやり取りされる制御信号ＣＳの規格としては、例えばＩ２Ｃ（Inter-Integrated Circuit）がある。
【００１９】
そこで、図２に示すように、液晶表示器３−１〜３−４に異なる画像［１］〜画像［４］をそれぞれ同時並列的に表示する場合を考える。なお、ここでは、画像［１］〜画像［４］は、それぞれ、ＤＰＷ１×ＤＰＨ１、ＤＰＷ２×ＤＰＨ２、ＤＰＷ３×ＤＰＨ３、ＤＰＷ４×ＤＰＨ４のサイズを有する画像であるとする。なお、画像としては静止画でもよいが、典型的には動画である。
【００２０】
そこで、画像処理プロセッサ１が、図示しない上記ＣＰＵからの指令に応じて、図示しない画像ＲＯＭから画像［１］〜画像［４］のデータを読み出してきて、伸長等の処理を施して図示しないフレームメモリに展開した後、送信処理部１１は、読み出してきて送信バッファ１１１に格納しつつ、送信バッファ１１１の容量単位で画像分割処理部２へ送信する。
【００２１】
このとき、画像処理プロセッサ１が、バッファ１１１を介して、連結結合した画像を送る送り方には各種がある。しかしながら、画像分割処理部２側においては、そのような各種の送り方に拘わらず統一的な扱いで処理できれば便利である。
【００２２】
図３は、画像処理プロセッサ１が連結結合した画像を送る送り方の例を示す図である。図３（ａ）は結合モード［１］を示しており、画像［１］〜画像［４］を単純に水平方向に連結した方式である。送信バッファ１１１が水平方向に垂直方向にも余裕がある場合にはこの方式で送ることができる。但し、画像分割処理部２の液晶信号生成部２３−１〜２３−４内の各バッファ２３１−１〜２３１−４がラインバッファの場合は、送信側でもライン単位で送る必要がある。
【００２３】
図３（ｂ）は結合モード［２］を示しており、各画像［１］〜［４］を垂直方向に所定単位で分断し、それらを各画像で巡廻的になるように水平方向に並べて結合させる方式である。所定単位というのは典型的には１画素単位である。
【００２４】
図３（ｃ）は結合モード［３］を示しており、各画像［１］〜［４］を水平方向に所定単位で分断し、それらを各画像で巡廻的になるように垂直方向に並べて結合させる方式である。送信バッファ１１１の垂直方向の容量が比較的少なく、また水平方向に長い表示器に画像を表示する場合に好適な方式である。なお、送信バッファ１１１がラインバッファの場合は、分断する単位は１画素である。
【００２５】
図３（ｄ）は結合モード［４］を示しており、各画像［１］〜［４］を、基本的に図３（ｃ）に示した結合モード［３］と同様に、水平方向に所定単位で分断し、そして、画像［１］と画像［２］とを水平方向に対にした分断画像データをまず送り、次に画像［３］と画像［４］とを水平方向に対にした分断画像データ送り、そしてそれを巡廻的に繰り返すような送り方となる。送信バッファ１１１の垂直方向の容量が比較的少ない場合であって、かつ、表示器の水平方向の大きさに拘わらず、送信バッファ１１１の水平方向の容量を最大限に活かせる方式である。なお、送信バッファ１１１がラインバッファの場合は、分断する単位は１画素である。
【００２６】
そこで、上述のように画像処理プロセッサ１から各種方式で画像データが送信されても、画像分割処理部２側で統一的に処理が行えるようにする概念について、以下考える。図４は、その概念を説明するための図である。具体的には、画像処理プロセッサ１からいずれの方式で送られても、画像分割処理部２側では、同図に示すように、画像がタイル状に送られてくると一般化して捉えることができる。そして、その一般化した形式において適切なパラメータを導入し、そのパラメータを個別に特定の値に設定すれば、図３の各種のモードとして捉えることができるという方針である。
【００２７】
そこで、導入するパラメータについて説明する。図４において、個々の画像タイルは、図３における分断しない元の、又は分断後の各画像片である。例えば、図３（ａ）の結合モード［１］においては、各画像［１］〜［４］自体が画像タイルに相当する。また、図３（ｂ）〜（ｄ）の各結合モードにおいては、分断後の各画像データのそれぞれが画像タイルに相当する。そこで、図４において、パラメータＴＯＨ、ＴＯＶ、ＴＬＷ、ＴＬＨは、それぞれ、タイルの水平オフセット、垂直オフセット、幅、高さである。また、ＴＳＨ、ＴＳＶは、それぞれタイル水平ストライド、タイル垂直ストライドと呼称し、分断しない場合の水平方向、垂直方向の全幅、又は、分断した場合の各画像の水平方向、垂直方向の巡廻的繰り返し周期に相当するものである。
【００２８】
以下、図５乃至図８を参照し、図３に示した、画像の各結合モードについてのパラメータについて説明する。なお、図５（ａ）、６（ａ）、７（ａ）、８（ａ）は、図２に示したように、画像［１］〜画像［４］が、それぞれ、ＤＰＷ１×ＤＰＨ１、ＤＰＷ２×ＤＰＨ２、ＤＰＷ３×ＤＰＨ３、ＤＰＷ４×ＤＰＨ４のサイズを有しているとした場合であり、図５（ｂ）、６（ｂ）、７（ｂ）、８（ｂ）は、画像［１］〜画像［４］が、同一のＤＰＷ１×ＤＰＨ１のサイズを有しているとした場合である。また、結合モード［２］〜［４］においては、分断単位を典型的な１画素とした場合を示している。
【００２９】
まず、結合モード［１］においては、図５（ａ）に示すように、タイル幅ＴＬＷ及びタイル高さＴＬＨは、各画像において画像のサイズと一致している。また、タイル水平ストライドＴＳＨは、水平方向に４つ並べているので、ＤＰＷ１＋ＤＰＷ２＋ＤＰＷ３＋ＤＰＷ４となり、タイル垂直ストライドＴＳＶは、各画像について、各画像の垂直方向のサイズとなる。また、画像［１］のオフセット値を（０，０）とすると、画像［２］〜［４］のオフセット値は、それぞれ（ＤＰＷ１，０）、（ＤＰＷ１＋ＤＰＷ２，０）、（ＤＰＷ１＋ＤＰＷ２＋ＤＰＷ３，０）となる。これは、タイル幅ＴＬＷを足していけば求まる。また、各画像が、同一のＤＰＷ１×ＤＰＨ１のサイズを有しているとした場合は、同図（ｂ）に示したようになる。
【００３０】
次に、結合モード［２］においては、図６（ａ）に示すように、タイル高さＴＬＨは、各画像において画像の垂直方向のサイズと一致しているが、タイル幅ＴＬＷは、各画像に共通で‘１’である。また、タイル水平ストライドＴＳＨは、‘４’、すなわち４画素であり、タイル垂直ストライドＴＳＶは、各画像について、各画像の垂直方向のサイズとなる。また、画像［１］の最初の分断画素のオフセット値を（０，０）とすると、各画像のオフセット値は、水平オフセット値にタイル幅ＴＬＷの‘１’を足していけば求まる。すなわち、画像［２］〜［４］は、それぞれ（１，０）、（２，０）、（３，０）というように求まる。また、各画像内における次の分断画像のオフセット値を求めるには、水平オフセット値に、タイル水平ストライドＴＳＨ×タイル幅ＴＬＷ、すなわちこの場合‘４’×‘１’を足していけばよい。例えば、画像［１］について、（４，０）、（８，０）、・・・というように求まる。また、各画像が、同一のＤＰＷ１×ＤＰＨ１のサイズを有しているとした場合は、同図（ｂ）に示したようになる。
【００３１】
次に、結合モード［３］においては、図７（ａ）に示すように、タイル幅ＴＬＷは、各画像において画像の水平方向のサイズと一致しているが、タイル高さＴＬＨは、各画像に共通で‘１’である。また、タイル水平ストライドＴＳＨは、各画像について、各画像の水平方向のサイズであり、タイル垂直ストライドＴＳＶは、‘４’、すなわち４画素である。また、画像［１］の最初の分断画素のオフセット値を（０，０）とすると、各画像のオフセット値は、垂直オフセット値にタイル高さＴＬＨの‘１’を足していけば求まる。すなわち、画像［２］〜［４］は、それぞれ（０，１）、（０，２）、（０，３）というように求まる。また、各画像内における次の分断画像のオフセット値を求めるには、垂直オフセット値に、タイル垂直ストライドＴＳＶ×タイル高さＴＬＨ、すなわちこの場合‘４’×‘１’を足していけばよい。例えば、画像［１］について、（０，４）、（０，８）、・・・というように求まる。また、各画像が、同一のＤＰＷ１×ＤＰＨ１のサイズを有しているとした場合は、同図（ｂ）に示したようになる。
【００３２】
次に、結合モード［４］においては、図８（ａ）に示すように、タイル幅ＴＬＷは、各画像において画像の水平方向のサイズと一致しているが、タイル高さＴＬＨは、各画像に共通で‘１’である。また、タイル水平ストライドＴＳＨは、画像［１］及び画像［２］について、それらの画像の水平方向のサイズの和、すなわちＤＰＷ１＋ＤＰＷ２であり、画像［３］及び画像［４］については、それらの画像の水平方向のサイズの和、すなわちＤＰＷ３＋ＤＰＷ４である。また、タイル垂直ストライドＴＳＶは、各画像共通に‘２’、すなわち２画素である。また、画像［１］の最初の分断画素のオフセット値を（０，０）とすると、画像［３］のオフセット値は、画像［１］の垂直オフセット値にタイル高さＴＬＨの‘１’を足せば求まるし、画像［２］及び画像［４］のオフセット値は、それぞれ、画像［１］及び画像［３］の水平オフセット値に画像［１］及び画像［３］のタイル幅ＴＬＷのＤＰＷ１及びＤＰＷ３を足せばよい。また、各画像内における次の分断画像のオフセット値を求めるには、垂直オフセット値に、タイル垂直ストライドＴＳＶ×タイル高さＴＬＨ、すなわちこの場合‘２’×‘１’を足していけばよい。例えば、画像［１］について、（０，２）、（０，４）、・・・というように求まる。また、各画像が、同一のＤＰＷ１×ＤＰＨ１のサイズを有しているとした場合は、同図（ｂ）に示したようになる。
【００３３】
なお、画像の分断結合の仕方は、上述の４つに限られることはない。いずれにしても、画像処理プロセッサ１側としては、画像データの送信に伴って各パラメータを送信すればよい。そして、画像分割処理部２としては、送られてきた各パラメータに応じて、画像データを受け取ればよい。これにより、画像処理プロセッサ１側は、各種の結合パターンで送信可能となり、画像分割処理部２側は、その結合パターンに左右されず統一的に画像データを受け取ることができる。また、固有の結合パターンを有する画像処理プロセッサ１が複数あった場合に、いずれの画像処理プロセッサ１でも置換可能となる。
【００３４】
加えて、図１に示した例では、液晶表示器を４つとして説明したが、それに限られることはなく、本発明の主旨は、図９に示すように、ｎ個の液晶表示器に拡張できる。例えば例として、９個の液晶教示器３−１〜３−９に対応して９個の画像［１］〜［９］を表示する場合であって、画像処理プロセッサ１から、結合モード［４］の３×３のパターンで送信する場合の各パラメータを以下、説明する。なお、各画像［１］〜［９］が、ＤＰＷｉ×ＤＰＨｉ（ｉ＝１〜９）のサイズを有しているものとする。
【００３５】
このとき、各画像［１］〜［９］のタイル幅ＴＬＷは、それぞれＤＰＷｉ（ｉ＝１〜９）であり、タイル高さＴＬＨは、各画像に共通で‘１’である。また、タイル水平ストライドＴＳＨは、画像［１］、画像［２］、及び画像［３］について、それらの画像の水平方向のサイズの和、すなわちＤＰＷ１＋ＤＰＷ２＋ＤＰＷ３であり、画像［４］、画像［５］、及び画像［６］については、それらの画像の水平方向のサイズの和、すなわちＤＰＷ４＋ＤＰＷ５＋ＤＰＷ６である。また、タイル垂直ストライドＴＳＶは、各画像共通に‘３’、すなわち３画素である。また、画像［１］の最初の分断画素のオフセット値を（０，０）とすると、画像［４］のオフセット値は、画像［１］の垂直オフセット値にタイル高さＴＬＨの‘１’を足せば求まるし、画像［７］のオフセット値は、画像［４］の垂直オフセット値にタイル高さＴＬＨの‘１’を足せば求まる。また、画像［２］、画像［５］，及び画像［８］のオフセット値は、それぞれ、画像［１］、画像［４］、及び画像［７］の水平オフセット値に画像［１］、画像［４］、及び画像［７］のタイル幅ＴＬＷのＤＰＷ１、ＤＰＷ４、及びＤＰＷ７を足せばよいし、また、画像［３］、画像［６］、及び画像［９］のオフセット値は、それぞれ、画像［２］、画像［５］、及び画像［８］の水平オフセット値に画像［２］、画像［５］、及び画像［８］のタイル幅ＴＬＷのＤＰＷ２、ＤＰＷ５、及びＤＰＷ８を足せばよい。また、各画像内における次の分断画像のオフセット値を求めるには、垂直オフセット値に、タイル垂直ストライドＴＳＶ×タイル高さＴＬＨ、すなわちこの場合‘３’×‘１’を足していけばよい。
【００３６】
以上のように、上述の実施形態によれば、画像処理プロセッサ１が、ｎ個の液晶表示器３−１〜３−ｎのそれぞれに並列的に表示されるべき、各解像度のｎ個の画像［１］〜画像［ｎ］のデータを、水平方向及び水平方向の少なくとも一方向に分断して、又は分断せずに、水平方向及び垂直方向の少なくとも一方向に結合することにより、各種の結合方式で送信する場合でも、画像分割処理部２により、統一的にそれらの画像データを受信して分割処理を行える。
【産業上の利用可能性】
【００３７】
本発明の画像表示処理装置は、複数の表示器を備えたゲーム機、パチンコ機等の遊技機に採用される。
【符号の説明】
【００３８】
１  画像処理プロセッサ
１１  送信処理部
１１１  送信バッファ
２  画像分割処理部
２１  受信処理部
２２  画像データ振分け部
２３−１〜２３−４  液晶信号生成部
２３１−１〜２３１−４  バッファ
３−１〜３−ｎ  液晶表示器
【図１】
0005857346.tif 000002
【図２】
0005857346.tif 000003
【図３】
0005857346.tif 000004
【図４】
0005857346.tif 000005
【図５】
0005857346.tif 000006
【図６】
0005857346.tif 000007
【図７】
0005857346.tif 000008
【図８】
0005857346.tif 000009
【図９】
0005857346.tif 000010